(57)【要約】【課題】本発明は、停電時においても、従業員に連絡をとることができるタイムレコーダ及びタイムレコーダシステムを提供する。【解決手段】本発明は、サーバから送信されるメッセージ及び従業員の識別情報を含むフレームを受信する手段８１と、受信されたフレームに含まれるメッセージ及び従業員の識別情報を関連付けて記憶する手段８２と、従業員の識別情報を記憶したカードが装着されたことを検出する手段８３と、カードの装着が検出された場合に、カードから識別情報を読み込み手段８４と、読み込まれた識別情報が記憶手段に記憶された従業員の識別情報と一致するか否かを判定し、一致すると判定された場合に、読み込まれた識別情報に対応するメッセージを表示する手段８５，８６と、受信手段、記憶手段、検出手段、読み込み手段及び表示手段に電源を供給するためのバッテリ９２とを具備するタイムレコーダ、である。【選択図】  図４
2004258930.tif 000002
【特許請求の範囲】
【請求項１】
無線通信回線を介してサーバから送信されるメッセージ及び従業員の識別情報を含むフレームを受信する手段と、
前記受信されたフレームに含まれるメッセージ及び従業員の識別情報を関連付けて記憶する手段と、
従業員の識別情報を記憶したカードが装着されたことを検出する手段と、
カードの装着が検出された場合に、前記カードから前記識別情報を読み込む手段と、
前記読み込まれた識別情報が前記記憶手段に記憶された従業員の識別情報と一致するか否かを判定し、一致すると判定された場合に、前記読み込まれた識別情報に対応するメッセージを表示する手段と、
前記受信手段、前記記憶手段、前記検出手段、前記読み込み手段及び前記表示手段に電源を供給するためのバッテリと
を具備することを特徴とするタイムレコーダ。
【請求項２】
無線通信回線を介してサーバから送信されるメッセージの識別情報及び従業員の識別情報を含むフレームを受信する手段と、
前記受信されたフレームに含まれるメッセージの識別情報及び従業員の識別情報を関連付けて記憶する手段と、
従業員の識別情報を記憶したカードが装着されたことを検出する手段と、
カードの装着が検出された場合に、前記カードから前記識別情報を読み込む手段と、
前記読み込まれた識別情報が前記記憶手段に記憶された従業員の識別情報と一致するか否かを判定し、一致すると判定された場合に、前記読み込まれた識別情報に対応するメッセージの識別情報に関連付けられたメッセージを表示する手段と、
前記受信手段、前記記憶手段、前記検出手段、前記読み込み手段及び前記表示手段に電源を供給するためのバッテリと
を具備することを特徴とするタイムレコーダ。
【請求項３】
前記無線通信回線は、ＰＨＳ（Ｐｅｒｓｏｎａｌ  Ｈａｎｄｙ  Ｐｈｏｎｅ  Ｓｙｓｔｅｍ）の無線通信回線であることを特徴とする請求項１又は請求項２記載のタイムレコーダ。
【請求項４】
前記メッセージを表示する際に、メッセージがあることを示す音声を出力する手段をさらに具備することを特徴とする請求項１又は請求項２記載のタイムレコーダ。
【請求項５】
前記カードは、ＩＣ（Ｉｎｔｅｇｒａｔｅｄ  Ｃｉｒｃｕｉｔ）カードであることを特徴とする請求項１又は請求項２記載のタイムレコーダ。
【請求項６】
前記フレームは、送信先のタイムレコーダを示す識別情報を含み、
前記記憶手段は、自己の識別情報と、受信されたフレームに含まれるタイムレコーダの識別情報とが一致する場合に、前記受信されたフレームに含まれるメッセージ及び従業員の識別情報を関連付けて記憶することを特徴とする請求項１記載のタイムレコーダ。
【請求項７】
前記フレームは、送信先のタイムレコーダを示す識別情報を含み、
前記記憶手段は、自己の識別情報と、受信されたフレームに含まれるタイムレコーダの識別情報とが一致する場合に、前記受信されたフレームに含まれるメッセージの識別情報及び従業員の識別情報を関連付けて記憶することを特徴とする請求項２記載のタイムレコーダ。
【請求項８】
前記受信手段は、ＰＨＳ（Ｐｅｒｓｏｎａｌ  Ｈａｎｄｙ  Ｐｈｏｎｅ  Ｓｙｓｔｅｍ）カードであることを特徴とする請求項１又は請求項２記載のタイムレコーダ。
【請求項９】
通信回線と、
前記通信回線に接続された第１の無線基地局と、
前記通信回線に接続された第２の無線基地局と、
前記第１の無線基地局と第１の無線通信回線を介して接続されたタイムレコーダと、
前記第２の無線基地局と第２の無線通信回線を介して接続された情報処理装置とを具備するタイムレコーダシステムにおいて、
前記情報処理装置は、
送信先の従業員に対するメッセージを入力する手段と、
送信先の従業員を示す識別情報と、前記入力されたメッセージを含むフレームを前記通信回線を介して、前記タイムレコーダに送信する手段とを具備し、
前記タイムレコーダは、
前記第１の無線通信回線を介して情報処理装置から送信されるメッセージ及び従業員の識別情報を含むフレームを受信する手段と、
前記受信されたフレームに含まれるメッセージ及び従業員の識別情報を関連付けて記憶する手段と、
従業員の識別情報を記憶したカードが装着されたことを検出する手段と、
カードの装着が検出された場合に、前記カードから前記識別情報を読み込む手段と、
前記読み込まれた識別情報が前記記憶手段に記憶された従業員の識別情報と一致するか否かを判定し、一致すると判定された場合に、前記読み込まれた識別情報に対応するメッセージを表示する手段と、
前記受信手段、前記記憶手段、前記検出手段、前記読み込み手段及び前記表示手段に電源を供給するためのバッテリと
を具備することを特徴とするタイムレコーダシステム。
【請求項１０】
通信回線と、
前記通信回線に接続された第１の無線基地局と、
前記通信回線に接続された第２の無線基地局と、
前記第１の無線基地局と第１の無線通信回線を介して接続されたタイムレコーダと、
前記第２の無線基地局と第２の無線通信回線を介して接続された情報処理装置とを具備するタイムレコーダシステムにおいて、
前記情報処理装置は、
送信先の従業員に対するメッセージの識別情報を入力する手段と、
送信先の従業員を示す識別情報と、前記入力されたメッセージの識別情報を含むフレームを前記通信回線を介して、前記タイムレコーダに送信する手段とを具備し、
前記タイムレコーダは、
前記第１の無線通信回線を介して情報処理装置から送信されるメッセージの識別情報及び従業員の識別情報を含むフレームを受信する手段と、
前記受信されたフレームに含まれるメッセージの識別情報及び従業員の識別情報を関連付けて記憶する手段と、
従業員の識別情報を記憶したカードが装着されたことを検出する手段と、
カードの装着が検出された場合に、前記カードから前記識別情報を読み込む手段と、
前記読み込まれた識別情報が前記記憶手段に記憶された従業員の識別情報と一致するか否かを判定し、一致すると判定された場合に、前記読み込まれた識別情報に対応するメッセージの識別情報に関連付けられたメッセージを表示する手段と、
前記受信手段、前記記憶手段、前記検出手段、前記読み込み手段及び前記表示手段に電源を供給するためのバッテリと
を具備することを特徴とするタイムレコーダシステム。
【請求項１１】
前記第１の無線通信回線及び前記第２の無線通信回線は、ＰＨＳ（Ｐｅｒｓｏｎａｌ  Ｈａｎｄｙ  Ｐｈｏｎｅ  Ｓｙｓｔｅｍ）の無線通信回線であることを特徴とする請求項９又は請求項１０記載のタイムレコーダシステム。
【請求項１２】
前記メッセージを表示する際に、メッセージがあることを示す音声を出力する手段をさらに具備することを特徴とする請求項９又は請求項１０記載のタイムレコーダシステム。
【請求項１３】
前記カードは、ＩＣ（Ｉｎｔｅｇｒａｔｅｄ  Ｃｉｒｃｕｉｔ）カードであることを特徴とする請求項９又は請求項１０記載のタイムレコーダシステム。
【請求項１４】
前記フレームは、送信先のタイムレコーダを示す識別情報を含み、
前記記憶手段は、自己の識別情報と、受信されたフレームに含まれるタイムレコーダの識別情報とが一致する場合に、前記受信されたフレームに含まれるメッセージ及び従業員の識別情報を関連付けて記憶することを特徴とする請求項９記載のタイムレコーダシステム。
【請求項１５】
前記フレームは、送信先のタイムレコーダを示す識別情報を含み、
前記記憶手段は、自己の識別情報と、受信されたフレームに含まれるタイムレコーダの識別情報とが一致する場合に、前記受信されたフレームに含まれるメッセージの識別情報及び従業員の識別情報を関連付けて記憶することを特徴とする請求項１０記載のタイムレコーダシステム。
【請求項１６】
前記受信手段は、ＰＨＳ（Ｐｅｒｓｏｎａｌ  Ｈａｎｄｙ  Ｐｈｏｎｅ  Ｓｙｓｔｅｍ）カードであることを特徴とする請求項９又は請求項１０記載のタイムレコーダシステム。
【請求項１７】
タイムレコーダとしての機能を維持するための電源を供給するバッテリを具備するタイムレコーダにおけるメッセージ表示方法において、
無線通信回線を介してサーバから送信されるメッセージ及び従業員の識別情報を含むフレームを受信し、
前記受信されたフレームに含まれるメッセージ及び従業員の識別情報を関連付けて記憶し、
従業員の識別情報を記憶したカードが装着されたことを検出し、
カードの装着が検出された場合に、前記カードから前記識別情報を読み込み、
前記読み込まれた識別情報が前記記憶された従業員の識別情報と一致するか否かを判定し、一致すると判定された場合に、前記読み込まれた識別情報に対応するメッセージを表示することを特徴とするタイムレコーダにおけるメッセージ表示方法。
【請求項１８】
タイムレコーダとしての機能を維持するための電源を供給するバッテリを具備するタイムレコーダにおけるメッセージ表示方法において、
無線通信回線を介してサーバから送信されるメッセージの識別情報及び従業員の識別情報を含むフレームを受信し、
前記受信されたフレームに含まれるメッセージの識別情報及び従業員の識別情報を関連付けて記憶し、
従業員の識別情報を記憶したカードが装着されたことを検出し、
カードの装着が検出された場合に、前記カードから前記識別情報を読み込み、
前記読み込まれた識別情報が前記記憶された従業員の識別情報と一致するか否かを判定し、一致すると判定された場合に、前記読み込まれた識別情報に対応するメッセージの識別情報に関連付けられたメッセージを表示することを特徴とするタイムレコーダにおけるメッセージ表示方法。
【請求項１９】
通信回線と、
前記通信回線に接続された第１の無線基地局と、
前記通信回線に接続された第２の無線基地局と、
前記第１の無線基地局と第１の無線通信回線を介して接続されたタイムレコーダと、
前記第２の無線基地局と第２の無線通信回線を介して接続された情報処理装置と、
前記タイムレコーダとしての機能を維持するための電源を供給するバッテリとを具備するタイムレコーダシステムにおけるメッセージ表示方法において、
前記情報処理装置において、
送信先の従業員に対するメッセージを入力し、
送信先の従業員を示す識別情報と、前記入力されたメッセージを含むフレームを前記通信回線を介して、前記タイムレコーダに送信し、
前記タイムレコーダにおいて、
前記第１の無線通信回線を介して情報処理装置から送信されるメッセージ及び従業員の識別情報を含むフレームを受信し、
前記受信されたフレームに含まれるメッセージ及び従業員の識別情報を関連付けて記憶し、
従業員の識別情報を記憶したカードが装着されたことを検出し、
カードの装着が検出された場合に、前記カードから前記識別情報を読み込み、
前記読み込まれた識別情報が前記記憶された従業員の識別情報と一致するか否かを判定し、一致すると判定された場合に、前記読み込まれた識別情報に対応するメッセージを表示することを特徴とするタイムレコーダシステムにおけるメッセージ表示方法。
【請求項２０】
通信回線と、
前記通信回線に接続された第１の無線基地局と、
前記通信回線に接続された第２の無線基地局と、
前記第１の無線基地局と第１の無線通信回線を介して接続されたタイムレコーダと、
前記第２の無線基地局と第２の無線通信回線を介して接続された情報処理装置と、
前記タイムレコーダとしての機能を維持するための電源を供給するバッテリとを具備するタイムレコーダシステムにおけるメッセージ表示方法において、
前記情報処理装置において、
送信先の従業員に対するメッセージの識別情報を入力し、
送信先の従業員を示す識別情報と、前記入力されたメッセージの識別情報を含むフレームを前記通信回線を介して、前記タイムレコーダに送信し、
前記タイムレコーダにおいて、
前記第１の無線通信回線を介して情報処理装置から送信されるメッセージの識別情報及び従業員の識別情報を含むフレームを受信し、
前記受信されたフレームに含まれるメッセージの識別情報及び従業員の識別情報を関連付けて記憶し、
従業員の識別情報を記憶したカードが装着されたことを検出し、
カードの装着が検出された場合に、前記カードから前記識別情報を読み込み、
前記読み込まれた識別情報が前記記憶された従業員の識別情報と一致するか否かを判定し、一致すると判定された場合に、前記読み込まれた識別情報に対応するメッセージの識別情報に関連付けられたメッセージを表示することを特徴とするタイムレコーダシステムにおけるメッセージ表示方法。
【発明の詳細な説明】
【０００１】
【発明の属する技術分野】
本発明は、タイムレコーダ及びタイムレコーダシステムに関する。
【０００２】
【従来の技術】
近年、無線通信技術の発達に伴ない、無線通信を利用した種々のタイムレコーダが開発されている。このようなタイムレコーダの例として、ＰＨＳ回線を利用して、ＬＡＮ（Ｌｏｃａｌ  Ａｒｅａ  Ｎｅｔｗｏｒｋ）に接続されたサーバと接続を行ない、タイムレコーダの情報をサーバに送信することができるものが開発されている（非特許文献１参照。）。
【０００３】
【非特許文献１】
アマノ社  タイム情報ターミナルカタログ
【０００４】
【発明が解決しようとする課題】
しかしながら、従来のタイムレコーダにおいては、個々の従業員に対して、メッセージを表示することができないため、ある特定の従業員と連絡をとりたい場合にもタイムレコーダを有効に活用することができなかった。
【０００５】
特に、人材派遣業者のように、多数の企業に社員を派遣している場合には、各企業に派遣している従業員と連絡を取りたい場合が考えられる。例えば、支店に連絡を欲しい場合、担当営業者へ連絡が欲しい場合、雇用契約書などの書類が準備できている旨の通知をしたい場合などである。
【０００６】
また、従来のタイムレコーダにおいては、停電などによって電源が遮断された場合には、バックアップ用のバッテリによって、時計表示機能を維持することはできるが、タイムレコーダとしての機能は停止してしまうという問題もあった。
【０００７】
本発明は、上記実情に鑑みてなされたものであり、停電時においても、従業員に連絡をとることができるタイムレコーダ及びタイムレコーダシステムを提供することを目的とする。
【０００８】
【課題を解決するための手段】
したがって、上記目的を達成するために、本発明は、無線通信回線を介してサーバから送信されるメッセージ及び従業員の識別情報を含むフレームを受信する手段と、前記受信されたフレームに含まれるメッセージ及び従業員の識別情報を関連付けて記憶する手段と、従業員の識別情報を記憶したカードが装着されたことを検出する手段と、カードの装着が検出された場合に、前記カードから前記識別情報を読み込み手段と、前記読み込まれた識別情報が前記記憶手段に記憶された従業員の識別情報と一致するか否かを判定し、一致すると判定された場合に、前記読み込まれた識別情報に対応するメッセージを表示する手段と、前記受信手段、前記記憶手段、前記検出手段、前記読み込み手段及び前記表示手段に電源を供給するためのバッテリとを具備することを特徴とするタイムレコーダ、である。
【０００９】
また、本発明は、無線通信回線を介してサーバから送信されるメッセージの識別情報及び従業員の識別情報を含むフレームを受信する手段と、前記受信されたフレームに含まれるメッセージの識別情報及び従業員の識別情報を関連付けて記憶する手段と、従業員の識別情報を記憶したカードが装着されたことを検出する手段と、カードの装着が検出された場合に、前記カードから前記識別情報を読み込む手段と、前記読み込まれた識別情報が前記記憶手段に記憶された従業員の識別情報と一致するか否かを判定し、一致すると判定された場合に、前記読み込まれた識別情報に対応するメッセージの識別情報に関連付けられたメッセージを表示する手段と、前記受信手段、前記記憶手段、前記検出手段、前記読み込み手段及び前記表示手段に電源を供給するためのバッテリとを具備することを特徴とするタイムレコーダ、である。
【００１０】
さらに、本発明は、通信回線と、前記通信回線に接続された第１の無線基地局と、前記通信回線に接続された第２の無線基地局と、前記第１の無線基地局と第１の無線通信回線を介して接続されたタイムレコーダと、前記第２の無線基地局と第２の無線通信回線を介して接続された情報処理装置とを具備するタイムレコーダシステムにおいて、前記情報処理装置は、送信先の従業員に対するメッセージを入力する手段と、送信先の従業員を示す識別情報と、前記入力されたメッセージを含むフレームを前記通信回線を介して、前記タイムレコーダに送信する手段とを具備し、前記タイムレコーダは、前記第１の無線通信回線を介して情報処理装置から送信されるメッセージ及び従業員の識別情報を含むフレームを受信する手段と、前記受信されたフレームに含まれるメッセージ及び従業員の識別情報を関連付けて記憶する手段と、従業員の識別情報を記憶したカードが装着されたことを検出する手段と、カードの装着が検出された場合に、前記カードから前記識別情報を読み込む手段と、前記読み込まれた識別情報が前記記憶手段に記憶された従業員の識別情報と一致するか否かを判定し、一致すると判定された場合に、前記読み込まれた識別情報に対応するメッセージを表示する手段と、前記受信手段、前記記憶手段、前記検出手段、前記読み込み手段及び前記表示手段に電源を供給するためのバッテリとを具備することを特徴とするタイムレコーダシステム、である。
【００１１】
さらに、本発明は、通信回線と、前記通信回線に接続された第１の無線基地局と、前記通信回線に接続された第２の無線基地局と、前記第１の無線基地局と第１の無線通信回線を介して接続されたタイムレコーダと、前記第２の無線基地局と第２の無線通信回線を介して接続された情報処理装置とを具備するタイムレコーダシステムにおいて、前記情報処理装置は、送信先の従業員に対するメッセージの識別情報を入力する手段と、送信先の従業員を示す識別情報と、前記入力されたメッセージの識別情報を含むフレームを前記通信回線を介して、前記タイムレコーダに送信する手段とを具備し、前記タイムレコーダは、前記第１の無線通信回線を介して情報処理装置から送信されるメッセージの識別情報及び従業員の識別情報を含むフレームを受信する手段と、前記受信されたフレームに含まれるメッセージの識別情報及び従業員の識別情報を関連付けて記憶する手段と、従業員の識別情報を記憶したカードが装着されたことを検出する手段と、カードの装着が検出された場合に、前記カードから前記識別情報を読み込む手段と、前記読み込まれた識別情報が前記記憶手段に記憶された従業員の識別情報と一致するか否かを判定し、一致すると判定された場合に、前記読み込まれた識別情報に対応するメッセージの識別情報に関連付けられたメッセージを表示する手段と、前記受信手段、前記記憶手段、前記検出手段、前記読み込み手段及び前記表示手段に電源を供給するためのバッテリとを具備することを特徴とするタイムレコーダシステム、である。
【００１２】
【発明の実施の形態】
以下、図面を参照して、本発明の実施の形態に係るタイムレコーダシステムについて説明する。
【００１３】
図１は、本発明の実施の形態に係るタイムレコーダシステムを示す図である。
【００１４】
同図に示すように、人材派遣会社のＬＡＮ（Ｌｏｃａｌ  Ａｒｅａ  Ｎｅｔｗｏｒｋ）１には、サーバコンピュータ２ａの他、コンピュータ２ｂ及びコンピュータ２ｃが接続されている。
【００１５】
サーバコンピュータ２ａは、ＬＡＮ１に接続され、各ＴＭＲ（タイムレコーダ）７ａ〜７ｇに送信するメッセージを出力する。
【００１６】
コンピュータ２ｂは、ＰＨＳ（Ｐｅｒｓｏｎａｌ  Ｈａｎｄｙ  Ｐｈｏｎｅ）用の無線通信モジュールを有し、ＡＰ（アクセスポイント、Ａｃｃｅｓｓ  Ｐｏｉｎｔ）３ａを介して、ＰＨＳ回線４に接続されるとともに、人材派遣会社のＬＡＮ１に接続される。コンピュータ２ｂは、ＬＡＮ１とＰＨＳ回線４との間におけるデータ中継機能を有する。
【００１７】
コンピュータ２ｃは、電話回線８に接続されるとともに、人材派遣会社のＬＡＮ１に接続される。コンピュータ２ｃは、ＬＡＮ１と電話回線８との間におけるデータ中継機能を有する。
【００１８】
ＰＨＳ回線４には、ＡＰ３ａの他、ＡＰ３ｂ〜ＡＰ３ｄが接続される。人材派遣会社のクライアント５ａの事業所６ａに設置されたＴＭＲ（タイムレコーダ）７ａ〜７ｃは、ＰＨＳ用の無線通信回線を介してＡＰ３ｂにアクセス可能であり、このＡＰ３ｂを介してＰＨＳ回線４を使用した通信が可能になる。また、事業所６ｂに設置されたＴＭＲ７ｄは、ＰＨＳ用の無線通信回線を介してＡＰ３ｃにアクセス可能であり、このＡＰ３ｃを介してＰＨＳ回線４を使用した通信が可能になる。
【００１９】
また、人材派遣会社のクライアント５ｃに設置されたＴＭＲ７ｇは、電話回線８を通じて、人材派遣会社のコンピュータ２ｃにアクセス可能であり、これにより、人材派遣会社のＬＡＮ１にアクセス可能となる。
【００２０】
すなわち、図１において、サーバコンピュータから出力されたメッセージなどは、ＬＡＮ１、コンピュータ２ｂ及びＰＨＳ回線４を介してＴＭＲ７ａ〜７ｄに送られ、また、ＬＡＮ１、コンピュータ２ｃ及び電話回線８を介してＴＭＲ７ｇに送られる。また、ＴＭＲ７ａ〜７ｄから送信される情報は、ＰＨＳ回線、コンピュータ２ｂ及びＬＡＮ１を介してサーバコンピュータ２ａに送られ、また、ＴＭＲ７ｇから送信される情報は、電話回線、コンピュータ２ｃ及びＬＡＮ１を介してサーバコンピュータ２ａに送られる。
【００２１】
なお、図１においては、コンピュータ２ｂとＡＰ３ａとの間は、無線によって接続されているが、有線接続されていてもよい。
【００２２】
図２は、ＴＭＲ７ａ〜７ｇの構成を示す図である。
【００２３】
同図に示すように、本発明の実施の形態に係るＴＭＲは、マイコン１１、ＩＣカードインターフェイス１２、出退外戻勤キー１３、タイマ１４、電源回路１５、ＡＣアダプタ１６、バッテリ１７、音声出力部１８、コンパクトフラッシュカードインターフェイス１９、ＲＳ−２３２Ｃインターフェイス２０、ＰＨＳインターフェイス２１、ＬＣＤ（Ｌｉｑｕｉｄ  Ｃｒｙｓｔａｌ  Ｄｉｓｐｌａｙ）表示器２２、ＰＨＳカード５２、ＲＳ−２３２Ｃ端子５３及びコンパクトフラッシュメモリカード５４を有している。
【００２４】
マイコン１１は、ＣＰＵ３０の他、ＲＯＭ３１及びＲＡＭ３２を有している。
【００２５】
ＣＰＵ３０は、本発明の実施の形態に係るＴＭＲの動作全般を司るものである。
【００２６】
ＲＯＭ３１は、ＣＰＵ３０の制御プログラム４１を格納する。本発明の実施の形態に係るＴＭＲの動作は、この制御プログラム４１にしたがって行なわれる。
【００２７】
ＲＡＭ３２は、人材派遣会社のサーバから送られてくる従業員識別情報４２、メッセージ情報４３及び出退勤情報４４などを格納する。
【００２８】
ＩＣカードインターフェイス１２は、ＩＣカード５１に記憶された情報を読み込み、マイコン１１に出力する。
【００２９】
出退外戻勤キー１３は、ボタン式のキーであり、出勤をするときに押下される「出勤キー」、退勤をするときに押下される「退勤キー」、外出をするときに押下される「外出キー」及び外出から戻ったときに押下される「戻りキー」からなり、これらキーが押下された場合に、当該押下されたキーに対応するイベントをマイコン１１に出力する。
【００３０】
タイマ１４は、現在の日時を示す情報をマイコン１１に出力する。
【００３１】
電源回路１５は、ＴＭＲ全体の電源制御を司るものであり、ＡＣアダプタ１６及びバッテリ１７のうちいずれかの電源をＴＭＲに供給する。このバッテリ１７は、ＴＭＲに内蔵されている。
【００３２】
音声出力部１８は、マイコン１１から指示された音声を出力する。
【００３３】
ＣＦ（コンパクトフラッシュ）カードインターフェイス１９は、ＣＦメモリカード５４の情報を読み取り、マイコン１１に出力する。
【００３４】
ＲＳ−２３２Ｃインターフェイス２０は、ＲＳ−２３２Ｃ端子５３と、マイコン１１との間のインターフェイスであり、ＴＭＲは、このＲＳ−２３２Ｃ端子５３を介して電話回線に接続可能である。
【００３５】
ＰＨＳインターフェイス２１は、ＰＨＳカード５２とマイコン１１との間のインターフェイスであり、このＰＨＳインターフェイス２１に装着されるＰＨＳカード５２を介してＰＨＳ回線に接続可能である。
【００３６】
ＬＣＤ表示器２２は、マイコン１１からの指示に基づいて、メッセージ情報や時刻情報などを表示する。
【００３７】
ＴＭＲ７ａ〜７ｆは、ＲＯＭ３１に格納された制御プログラムにしたがって、後述する本発明の実施の形態に係る動作を行なう他、通常のタイムレコーダとしての動作、例えば、従業員の出退勤に関する管理を行ない、その出退勤に関する情報は、ＲＡＭ３２に出退勤情報４４として格納される。
【００３８】
図３は、本発明の実施の形態に係るサーバコンピュータ２ａの構成を示す図である。
【００３９】
同図に示すように、本発明の実施の形態に係るサーバコンピュータ２ａは、バス６１に接続されたＣＰＵ６２、ＤＳＣ（Ｄｉｓｐｌａｙ  Ｃｏｎｔｒｏｌｌｅｒ）６３、表示部６４、無線通信モジュール６５、通信モジュール６６、ＫＢＣ（Ｋｅｙｂｏａｒｄ  Ｃｏｎｔｒｏｌｌｅｒ）６７、キーボード６８、ＢＩＯＳ（Ｂａｓｉｃ  Ｉｎｐｕｔ／Ｏｕｔｐｕｔ  Ｓｙｓｔｅｍ）ＲＯＭ６９、ＲＡＭ７０、タイマ７１、ＨＤＣ（Ｈａｒｄ  Ｄｉｓｋ  Ｃｏｎｔｒｏｌｌｅｒ）７２及びＨＤＤ（Ｈａｒｄ  Ｄｉｓｋ  Ｄｒｉｖｅ）７３を具備している。
【００４０】
ＣＰＵ６２は、サーバコンピュータ２ａ全体の制御を司る。
【００４１】
ＤＳＣ６３は、表示部６４の制御を司る。
【００４２】
無線通信モジュール６５は、ＰＨＳなどの無線通信を行なうためのモジュールである。
【００４３】
通信モジュール６６は、人材派遣会社に構築されているＬＡＮ１を介してクライアントに設置されているＴＭＲと通信を行なう。
【００４４】
ＫＢＣ６７は、キーボード６８などの入力装置の制御を司るものであり、キーボード６８から入力されるメッセージ情報などをバス６１上に出力する。
【００４５】
ＢＩＯＳ  ＲＯＭ６９は、サーバコンピュータ２ａの基本的な動作を規定するプログラムを格納する。
【００４６】
ＲＡＭ７０は、ＣＰＵ６２の作業領域として使用されるとともに、キーボードから入力されるメッセージ情報などのデータを格納する。
【００４７】
タイマ７１は、現在の日時を示す情報を提供する。
【００４８】
ＨＤＣ７２は、ＨＤＤ７３の制御全般を司るものである。
【００４９】
ＨＤＤ７３は、サーバコンピュータ２ａにおいて実行されるアプリケーションプログラムなどの他、本発明の実施の形態に係るタイムレコーダシステムにおける動作を実現する出退勤管理プログラム７４を格納する。
【００５０】
図４は、本発明の実施の形態に係るＴＭＲの機能ブロックを示す図である。
【００５１】
同図に示すように、本発明の実施の形態に係るＴＭＲは、フレーム受信部８１、情報記憶部８２、カード装着検出部８３、カード情報読み込み部８４、判定部８５、表示部８６、音声出力部８７、ＡＣ電源９１、バッテリ９２、電源管理部９３及び電源切り替え部９４を具備している。
【００５２】
フレーム受信部８１は、サーバコンピュータからからＰＨＳ回線４を介して人材派遣会社のＬＡＮに出力された図５に示すようなタイムレコーダ識別情報、従業員識別情報及びメッセージ情報を含むフレームを受信し、自己の識別情報と受信したフレームに含まれるタイムレコーダの識別情報とが一致している場合に、フレームに含まれるメッセージ及び従業員の識別情報を情報記憶部８２に出力する。
【００５３】
情報記憶部８２は、フレーム受信部８１から出力されるメッセージと、従業員の識別情報とを関連付けて記憶する。図６は、情報記憶部８２に記憶される従業員識別情報と、メッセージ情報との関係を示す図である。同図に示すように、例えば、従業員識別情報「Ｎｏ．○○○○○」にはメッセージ情報「支店へ連絡ください」が関連付けられ、従業員識別情報「Ｎｏ．○○○△△」にはメッセージ情報「雇用契約書が未提出です」が関連付けられている。
【００５４】
カード装着検出部８３は、ＩＣカードインターフェイス１２にＩＣカード５１が装着されたことを検出する。
【００５５】
カード情報読み込み部８４は、カード装着検出部８３によってＩＣカードが装着されたことが検出された場合に、ＩＣカードに記録された従業員の識別情報を読み込み、判定部８５に出力する。
【００５６】
判定部８５は、カード情報読み込み部８４によって読み込まれた従業員の識別情報が、情報記憶部８２に記憶された従業員の識別情報と一致するか否かを判定し、一致すると判定された場合に、読み込まれた識別情報に対応するメッセージ情報を表示部８６に出力する。また、この時、判定部８５は、メッセージ情報に応じた音声を音声出力部８７から出力させる。
【００５７】
電源管理部９３は、ＡＣ電源９１及びバッテリ９２を監視し、ＡＣ電源９１が遮断されたことを検出する。電源切替部９４は、電源管理部９３によってＡＣ電源の遮断が検出された場合に、電源をＡＣ電源９１からバッテリ９２に切り替える。これにより、ＴＭＲの動作に必要な全ての各コンポーネントに電源が常に供給される。
【００５８】
次に、本発明の実施の形態に係るタイムレコーダシステムの動作について、図７及び図８を参照して説明する。
【００５９】
まず、最初に、サーバコンピュータ２ａから送信されたタイムレコーダの識別情報、メッセージ及び従業員の識別情報を含むフレームを受信したか否かの判断が行なわれる（Ｓ１）。
【００６０】
Ｓ１において、フレームを受信したと判断された場合には、次に、フレームに含まれるタイムレコーダの識別情報と、自己の識別情報とが一致するか否かの判断が行なわれる（Ｓ２）。
【００６１】
Ｓ２において、一致すると判定された場合には、フレームに含まれるメッセージ及び従業員の識別情報を関連付けて記憶する（Ｓ３）。その後、カードの装着が行なわれたか否かの判断が行なわれ（Ｓ４）、装着されていると判断された場合には、カードから従業員の識別情報を読み込む（Ｓ５）。
【００６２】
一方、Ｓ１においてフレームを受信していないと判断された場合、及びＳ２において自己の識別情報とタイムレコーダの識別情報とが一致していないと判断された場合には、Ｓ４の処理に移る。
【００６３】
Ｓ５において読み込まれた従業員の識別情報が、ＴＭＲに記憶された従業員の識別情報と一致するか否かの判断が行なわれる（Ｓ６）。Ｓ６において、一致していないと判断された場合には、Ｓ１の処理に戻る。
【００６４】
一方、一致していると判断された場合には、一致した従業員の識別情報に対応するメッセージを読み出し（Ｓ７）、読み出されたメッセージを表示し（Ｓ８）、メッセージがあることを示す音声を出力する（Ｓ９）。
【００６５】
これにより、サーバから送信された従業員に対するメッセージ情報を表示することができるので、従業員が出社した際に、確実に連絡事項を伝達することができる。
【００６６】
図８は、本発明の実施の形態に係るＴＭＲの電源制御動作を説明するためのフローチャートである。
【００６７】
電源回路１５は、ＡＣ電源（外部電源）９１及びバッテリ９２からの電源電圧を監視しており、ＡＣ電源９１からの電源電圧が遮断されたか否かを判断する（Ｓ１１）。Ｓ１１において、遮断されていないと判断された場合には、外部電源を使用する（Ｓ１４）。一方、Ｓ１１において、外部電源が遮断されたと判断された場合には、外部電源をバッテリに切り替えて（Ｓ１２）、ＴＭＲの電源としてバッテリを使用する（Ｓ１３）。
【００６８】
このような電源制御を行なうことにより、停電などによって、外部電源が遮断されても、人材派遣会社からのメッセージを従業員に確実に知らせることができる。また、バッテリを内蔵することにより、外部電源を使用することができないような場所においても、確実に勤退管理を行なうことができる。
【００６９】
図９は、サーバコンピュータにおけるメッセージ送信処理を説明するためのフローチャートである。
【００７０】
まず、ＴＭＲに送信するフレーム（パケット）に挿入するためのタイムレコーダ識別情報、従業員識別情報を入力し（Ｓ２１）、その後、メッセージ情報を入力する（Ｓ２２）。そして、ＴＭＲに送信するためのフレームを生成し（Ｓ２３）、生成されたフレームを送信する（Ｓ２４）。
【００７１】
そして、この送信されたフレームは、人材派遣会社のＬＡＮ１、コンピュータ２ｂ、ＰＨＳ回線４を介して各ＴＭＲ７ａ〜７ｆに送信され、また、コンピュータ２ｃ、電話回線８を介してＴＭＲ７ｇに送信される。
【００７２】
したがって、本発明の実施の形態によれば、人材派遣会社から派遣先の従業員に対してＴＭＲを使用して、効率的に情報を伝達することができる。また、停電などにより、外部電源が遮断されてもバッテリを内蔵しているので、伝えるべき情報を確実に伝達することができる。
【００７３】
上述の実施の形態においては、サーバコンピュータ２ａからメッセージを送信し、当該メッセージをＴＭＲに表示される場合について説明したが、これに限られるものではない。例えば、サーバコンピュータからはメッセージではなくメッセージの識別情報を送信し、ＴＭＲにおいて、メッセージの識別情報に関連付けられたメッセージを表示するようにしてもよい。
【００７４】
具体的には、図９のＳ２２において、メッセージ情報の代わりにメッセージの識別情報を入力し、このメッセージ情報の識別情報などを含むフレームをＴＭＲに送信する。
【００７５】
また、この場合、ＴＭＲにおいては、図７のＳ１において、サーバコンピュータ２ａから送信されたタイムレコーダの識別情報、メッセージの識別情報及び従業員の識別情報を含むフレームを受信したか否かの判断が行なわれる。また、図７のＳ３においては、フレームに含まれるメッセージの識別情報及び従業員の識別情報を関連付けて記憶する。図７のＳ７において、一致した従業員の識別情報に対応するメッセージの識別情報を読み出し、Ｓ８において読み出されたメッセージの識別情報に関連付けされたメッセージを表示する。
【００７６】
すなわち、サーバコンピュータ２ａからメッセージ情報ではなく、メッセージの識別情報を送信する場合には、図６に示したテーブルは、従業員識別情報と、メッセージの識別情報とが関連付けられて記憶される。そして、このメッセージの識別情報は、ＴＭＲに記憶されているメッセージと関連付けられているものとする。
【００７７】
この関連付けの仕方は、例えば、メッセージの識別情報が「Ｎｏ．００１」の場合には、メッセージが「支店へ連絡下さい」、「Ｎｏ．００２」の場合には、メッセージが「雇用契約書が未提出です」などのように関連付けられる。このように、メッセージの識別情報を送るような場合、メッセージ情報そのものを格納しなくて済むので、ＴＭＲのメモリを節約することができる。
【００７８】
なお、本願発明は、上記各実施形態に限定されるものでなく、実施段階ではその要旨を逸脱しない範囲で種々に変形することが可能である。
【００７９】
【発明の効果】
以上詳記したように、本発明によれば、停電時においても、従業員に連絡をとることができるタイムレコーダ及びタイムレコーダシステムを提供することができる。
【図面の簡単な説明】
【図１】本発明の実施の形態に係るタイムレコーダシステムを示す図である。
【図２】ＴＭＲ７ａ〜７ｆの構成を示す図である。
【図３】本発明の実施の形態に係るサーバコンピュータ２ａの構成を示す図である。
【図４】本発明の実施の形態に係るＴＭＲの機能ブロックを示す図である。
【図５】サーバコンピュータからＴＭＲに伝送されるフレームの一部を示す図である。
【図６】情報記憶部８２に記憶される従業員識別情報と、メッセージ情報との関係を示す図である。
【図７】本発明の実施の形態に係るタイムレコーダシステムの動作について説明するためのフローチャートである。
【図８】本発明の実施の形態に係るタイムレコーダシステムの動作について説明するためのフローチャートである。
【図９】サーバコンピュータから送信されるフレームの送信方法を説明するためのフローチャートである。
【符号の説明】
１…ＬＡＮ、
２ａ…サーバコンピュータ、
２ｂ，２ｃ…コンピュータ、
３ａ〜３ｄ…アクセスポイント、
４…ＰＨＳ回線、
５ａ〜５ｃ…クライアント、
６ａ、６ｂ…事業所、
７ａ〜７ｇ…タイムレコーダ、
８…電話回線、
１１…マイコン、
１２…ＩＣカードインターフェイス、
１３…出退外戻勤キー、
１４…タイマ、
１５…電源回路、
１６…ＡＣアダプタ、
１７…バッテリ、
１８…音声出力部、
１９…コンパクトフラッシュカードインターフェイス、
２０…ＲＳ−２３２Ｃインターフェイス、
２１…ＰＨＳインターフェイス、
５１…ＩＣカード、
５２…ＰＨＳカード、
５３…ＲＳ−２３２端子、
５４…ＣＦメモリカード、
６１…バス、
６２…ＣＰＵ、
６３…ＤＳＣ、
６４…表示部、
６５…無線通信モジュール、
６６…通信モジュール、
６７…ＫＢＣ，
６８…キーボード、
６９…ＢＩＯＳ  ＲＯＭ、
７０…ＲＡＭ、
７１…タイマ、
７２…ＨＤＣ、
７３…ＨＤＤ、
７４…出退勤管理プログラム。
【図１】
2004258930.tif 000003
【図２】
2004258930.tif 000004
【図３】
2004258930.tif 000005
【図４】
2004258930.tif 000006
【図５】
2004258930.tif 000007
【図６】
2004258930.tif 000008
【図７】
2004258930.tif 000009
【図８】
2004258930.tif 000010
【図９】
2004258930.tif 000011